(57)【要約】      （修正有）【課題】支柱とパネルとで一定の区画を構成するパーテーション部材に付設する付属部材の設置や解体等の作業が容易であるパーテーション部材に設置する付属部材の固定具を提供する。【解決手段】一定の区画を構成するためにパネルを固定する支柱の側面に設けた複数個の溝であって前記パネルを固定していない前記溝に係合させるための常時先端部が当接状態を維持する挟持部４ｃと、この挟持部４ｃの先端部を開放操作すると共に付属部材が係止可能となる操作係止部４ｄと、を有するクリップ型のパーテーション部材に設置する付属部材の固定具４である。【選択図】図４
0003228033.tif 000002
【実用新案登録請求の範囲】
【請求項１】
一定の区画を構成するためにパネルを固定する支柱の側面に設けた複数個の溝であって前記パネルを固定していない前記溝に係合させるための常時先端部が当接状態を維持する挟持部と、この挟持部の先端部を開放操作すると共に付属部材が係止可能となる操作係止部と、を有するクリップ型であることを特徴とするパーテーション部材に設置する付属部材の固定具。
【考案の詳細な説明】
【技術分野】
【０００１】  本考案は、支柱とパネルとで一定の区画を構成するパーテーション部材と一緒に使用され当該パーテーション部材に設置する付属部材の固定具に関するものである。
【背景技術】
【０００２】  各種の学会や教育施設における展示会、商品の見本市や物産展等の展示会では、会場内の床面から垂直方向へ立設する支柱を用いて平板状のパネルを垂直方向に立設すると共に前記パネルを複数枚横方向へ屏風状に連結することにより周囲を区画するブース（小間）を複数個設置して前記ブース単位で出展者を区分するパーテーション部材が知られている（下記特許文献１参照）。【０００３】  斯かるパーテーション部材では、前記支柱の水平方向の中心から所定の角度間隔を有して側面に形成した前記支柱の垂直方向へ延びる複数個の溝が形成してあり、この溝に前記パネルの端面部を嵌め込んで固定することにより、所定の区画された領域である前記ブースを構成するものである。
【先行技術文献】
【特許文献】
【０００４】
【特許文献１】特開平１０−７２８９４号公報
【特許文献２】実用新案登録第３２２０３１４号公報
【考案の概要】
【考案が解決しようとする課題】
【０００５】  このようなブースを構成するパーテーション部材において、本考案の出願人は、支柱とパネルとで一定の区画を構成するパーテーション部材に付設する付属部材の設置や解体等の作業が容易であるパーテーション部材の付属部材の固定具の提供を目的とするものを提案した（上記特許文献２参照）が、本考案は更なる利便性向上を目的とするものである。
【課題を解決するための手段】
【０００６】  本考案は、一定の区画を構成するためにパネルを固定する支柱の側面に設けた複数個の溝であって前記パネルを固定していない前記溝に係合させるための常時先端部が当接状態を維持する挟持部と、この挟持部の先端部を開放操作すると共に付属部材が係止可能となる操作係止部と、を有するクリップ型のパーテーション部材に設置する付属部材の固定具である。
【考案の効果】
【０００７】  本考案は、一定の区画を構成するためにパネルを固定する支柱の側面に設けた複数個の溝であって前記パネルを固定していない前記溝に係合させるための挟持部と、この挟持部の先端部を開放操作すると共に付属部材が係止可能となる操作係止部と、を有する全体がクリップ型のパーテーション部材に設置する付属部材の固定具であって、前記挟持部を前記溝に係合させる作業だけで、当該固定具を設置することができ、この場合において、前記挟持部の先端部を開放操作する操作係止部が前記付属部材の固定や一時的な配置用機能を有することから、前記付属部材の設置や撤収等の作業が容易となる。
【図面の簡単な説明】
【０００８】
【図１】  ブースの構成を説明する斜視図である。
【図２】  同上の要部断面図である。
【図３】  本考案の一実施例の要部断面図である。
【図４】  同上の全体写真である。
【図５】  同上の使用状態を説明する写真である。
【考案を実施するための形態】
【０００９】  本実施例のパーテーション部材の付属部材の固定具は、一定の区画を構成するためにパネルを固定する支柱の側面に設けた複数個の溝であって前記パネルを固定していない前記溝に係合させるための挟持部と、この挟持部の先端部を開放操作すると共に付属部材が係止可能となる操作係止部と、を有するクリップ型である。
【実施例】
【００１０】  以下、添付図面に従って一実施例を説明すると、図１、図２は、ブースＡの仕様を示すもので、両面白色仕上げのビニールコーティング合板（縦２７０センチ×横１００センチ）からなるパネル１を正面に３枚、その両側に９０度の角度を付けて前方へ配置した左右壁に各２枚を屏風状に連結して、一つのブースＡを構成しているもので、このブースＡは、間口が約３メートル、奥行きが約２メートル、高さが約２．７メートルとなる。【００１１】  これらのパネル１は、会場内の床面から垂直方向へ立設する水平断面が略八角形である複数個の支柱２を用いて横方向へ屏風状に連結することにより、周囲を区画するブースＡを構成する目的で使用され、この目的を実現するために各支柱２の水平方向の中心から所定の角度間隔、例えば４５度の角度間隔を有して側面（前記八角形の平面個所）に形成した支柱２の垂直方向へ延びる８個の溝２ａが形成してあり、この溝２ａにパネル１の端面部を嵌め込みビス等を用いて固定してブースＡを構成することができ、以上がパーテーション部材を構成している。【００１２】  このブースＡには、他ブースとの差別化や広告宣伝等を図る目的で前記パーテーション部材に付属部材３（図５参照）、例えば、展示品を吊り下げる金属製あるいは樹脂製等の平板状網目パネル、出店企業名や前記展示品の商品名等を告知する樹脂製あるいは布製等の暖簾状や横断幕状の表示具等を付属部材３として設置する場合がある。【００１３】  この付属部材３を設置するために用いられる固定具４は、図３、図４で示すように、一対の可動腕部４ａの略中央に位置する支点部４ｂと、この支点部４ｂより前方側に位置して支柱２及び付属部材３の間で後述する使用方法により所望の作用効果を発揮する対向する２つの挟持部４ｃと、支点部４ｂより後方側に位置して指で押圧する操作係止部４ｄと、この操作係止部４ｄへの加圧によって挟持部４ｃを開閉自在とするように挟持部４ｃが閉じる方向に常時弾性を付勢する弾性部４ｅとを有し、例えば金属製の十分な強度を有する材料からなる所謂洗濯バサミ状のクリップ型であり、この実施例では、１本の金属線を曲げて固定具４を形成しており、弾性部４ｅが支点部４ｂを兼ねている。【００１４】  そして、前記金属線は、固定具４の２つの挟持部４ｃの夫々が支柱２の複数の溝２ａの一つに入り込むことができるように挟持部４ｃの先端部が溝２ａの開口寸法よりも小さい外径である材料を選択している。【００１５】  また、可動腕部４ａの支点部４ｂから後方に位置する操作係止部４ｄは、挟持部４ｃの先端部を開放操作するためだけでなく付属部材３の固定や一時的な配置用機能を有するもので、以下に詳述する。【００１６】  ブースＡのパネル１を固定するために用意されている支柱２の複数の溝２ａであってパネル１を嵌め込まないで空いている溝２ａへ挟持部４ｃを係合させることにより、固定具４の設置が完了し、反対に、固定具４の撤収は前記作業と反対の手順を実行するだけで済む。【００１７】  先行実用新案（上記特許文献２参照）では、固定具４の挟持部４ｃを溝２ａに係合させて固定具４を支柱２に取り付けた後は、固定具４の撤収までの間は操作係止部４ｄが何の働きも有しない構成であったが、本考案では、固定具４の操作係止部４ｄで付属部材３の固定や一時的な配置用機能を付加している。【００１８】  すなわち、金属製平板状網目パネルを付属部材３として使用する場合には、図５で示すように、操作係止部４ｄに付属部材３の一部を固定する。【００１９】  また、出店企業名や前記展示品の商品名等を告知する樹脂製あるいは布製等の暖簾状や横断幕状の表示具を付属部材３として使用する場合には、付属部材３の上端に横方向へ延びる棒状の支持部材を操作係止部４ｄに載せて固定する使用が可能である。【００２０】  なお、本考案は、上記実施例に限らないことは言うまでもなく、例えば、固定具４の形状や大きさなどの外観、製造に使用する材料等は、適宜設定可能であり、付属部材３を止める操作係止部４ｄの形状も使用目的や環境に応じて任意に選択可能である。【００２１】  このように、簡単な構造でありながら、利便性の高いパーテーション部材に設置する付属部材の固定具を提供することができるものである。
【符号の説明】
【００２２】    Ａ  ブース
１  パネル
２  支柱
３  付属部材
４  固定具
【図１】
0003228033.tif 000003
【図２】
0003228033.tif 000004
【図３】
0003228033.tif 000005
【図４】
0003228033.tif 000006
【図５】
0003228033.tif 000007